(57)【要約】【課題】簡単な構造でプリント基板の脱落を防止できる電子機器筐体を得る。【解決手段】電子機器筐体１００の上面と下面の対向する位置に敷設され、プリント基板９を嵌合させることによりプリント基板を電子機器筐体１００へ導入する上ガイドレール２ａ及び下ガイドレール３ａと、上ガイドレール２ａ及び下ガイドレール３ａの一端側の側縁部に設置され、両ガイドレールの端部に対応した位置に、プリント基板９を把持するための切り欠き溝１１を設けた上ガイド梁５及び下ガイド梁６と、上ガイド梁５の電子機器筐体１００への設置位置を上下方向に調節可能なように固定する弾性体８を備える。【選択図】        図１
2005005324.tif 000002
【特許請求の範囲】
【請求項１】
電子部品が配置されたプリント基板を筐体内に収納する電子機器筐体であって、
筐体内の上方と下方の互いに対向する位置に前後方向に長手に敷設され、上記プリント基板が筐体内のコネクタに接続するようガイドする上ガイドおよび下ガイドと、
上記プリント基板の出し入れ時に上記プリント基板の上端縁または下端縁を把持可能な切り欠き溝を有し、上記上ガイドおよび上記下ガイドの位置に対応し、かつ筐体の前端部に上下移動可能に支持されて、上記出し入れ時に上記プリント基板により移動せしめられる梁と、
上記プリント基板が上記コネクタに接続していない状態では上記プリント基板による上記梁の移動量に応じて上記梁を上記プリント基板側に付勢する弾性部とを備えたことを特徴とする電子機器筐体。
【請求項２】
上下方向に移動可能に支持された梁は、プリント基板の上端縁を把持する上方梁であり、
上記プリント基板が上記上ガイドと上記下ガイドに沿って摺動されるときに上記プリント基板の下端縁を把持する切り欠き溝が形成されている下方梁を備えており、
上記下方梁は上記上ガイドと上記下ガイドよりも前方で上記上方梁よりも後方の固定位置に配置されていることを特徴とする請求項１記載の電子機器筐体。
【請求項３】
プリント基板が上記コネクタに接続されている時には、上記プリント基板は下方梁に形成された切り欠き溝に把持され、上記プリント基板が上記コネクタから外された時には、上記プリント基板は上方梁及び下方梁に形成された切り欠き溝に把持されることを特徴とする請求項２記載の電子機器筐体。
【発明の詳細な説明】
【０００１】
【発明の属する技術分野】
この発明は、電子機器筐体に関するものである。
【０００２】
【従来の技術】
一般に、電子機器の筐体は、電子部品が配置されたプリント基板を着脱できるようになっている。これは、プリント基板の保守、点検等の作業性を向上させるためである。電子機器筐体へのプリント基板の着脱を容易にするための工夫として電子機器筐体の外枠にはガイドレールが設けられ、プリント基板の収納はガイドレールの溝にその側縁部を嵌合させつつ挿入することにより行われる。収納されたプリント基板は、ガイドレールの溝により支持されると共に、筐体背部のバックボード等に設けられたコネクタに接続することにより固定される。
【０００３】
しかし、電子機器筐体にプリント基板が複数実装されると、プリント基板の重さにより筐体の底面部が下方に撓む。ところで、電子機器筐体を上位の装置に据え付ける際や調整作業を行う時には、プリント基板をガイドレールのみで支持し、バックボード等に備えられたコネクタには接続しない場合がある。この時、プリント基板の自重等により筐体の枠が撓んでいると、プリント基板がガイドレールから脱落して側方向に倒れ、その倒れたプリント基板が隣接するプリント基板と接触することにより、プリント基板の損傷が発生するという問題がある。
【０００４】
上記の問題の解決策として、例えば特許文献１に示した基板実装装置では、プリント基板を支持する筐体の上下面に設けられたガイドレールに一体に形成され、上下面の所定間隔を保持する間隔保持手段を備えることによりプリント基板がガイドレールから外れることを防ぐ技術が開示されている。
【０００５】
【特許文献１】
特開２００１−２８４８５６号公報
【０００６】
【発明が解決しようとする課題】
しかし、特許文献１に開示された方法では、各ガイドレールに間隔保持手段を施す必要があるため、筐体の構造が複雑になり、部品点数が増え、コスト的に不利であるという問題があった。また、従来からガイドレールの製造には、板金の切り起こしによる方法が多く用いられているが、この方法で製造する筐体に上記の方法を適用すると工数が増えるという問題がある。
【０００７】
この発明は上記のような課題を解決するためになされたもので、簡単な構造でプリント基板の脱落を防止できる電子機器筐体を得ることを目的とする。
【０００８】
【課題を解決するための手段】
この発明に係る電子機器筐体は、電子部品が配置されたプリント基板を筐体内に収納する電子機器筐体であって、筐体内の上方と下方の互いに対向する位置に前後方向に長手に敷設され、プリント基板が筐体内のコネクタに接続するようガイドする上ガイドおよび下ガイドと、プリント基板の出し入れ時にプリント基板の上端縁または下端縁を把持可能な切り欠き溝を有し、上ガイドおよび下ガイドの位置に対応し、かつ筐体の前端部に上下移動可能に支持されて、出し入れ時にプリント基板により移動せしめられる梁と、プリント基板がコネクタに接続していない状態ではプリント基板による梁の移動量に応じて梁をプリント基板側に付勢する弾性部とを備えたものである。
【０００９】
【発明の実施の形態】
以下、この発明の実施の一形態を説明する。
実施の形態１．
図１（ａ）は、この発明の実施の形態１による電子機器筐体１００の斜視図、図１（ｂ）は、図１（ａ）におけるＢ部の拡大図である。また、図２は、電子機器筐体１００の前面から見た正面図、図３（ａ）は電子機器筐体１００の図２におけるＡ−Ａ断面の断面図、図３（ｂ）は、図３（ａ）におけるＣ部の拡大図である。電子機器筐体１００は、前面が開放された箱型形状をしている。電子機器筐体１００は、上板２、下板３、及び２枚の側板４によって外枠が形成されている。上板２と下板３は対称形状である。側板４の前端部は外側に折り曲げられ、電子機器筐体１００をラック（図示せず）に取付けるためのフランジ部４ａを形成している。
【００１０】
上板２には、前端部と後端部との間に前後方向に延びる上ガイドレール２ａが横方向に所定の間隔で設けられている。また、下板３には、上板２と同様に下ガイドレール３ａが設けられている。上ガイドレール２ａ及び下ガイドレール３ａの数だけのプリント基板９を収納することができる。なお、上ガイドレール２ａ及び下ガイドレール３ａは、上板２及び下板３を抜起することにより形成されている。
【００１１】
また、図２に示すように、電子機器筐体１００の背部には、上板２、下板３、及び側板４の後端部に接触し、背部を閉鎖するバックボード１０が設けられている。バックボード１０には、上ガイドレール２ａ、下ガイドレール３ａの延長上の位置にコネクタ１０ａが取付けられ、それぞれのコネクタ１０ａは、バックボード１０上の結線回路を介して電気的に接続されている。
【００１２】
上板２、下板３の前端部には、全ての上ガイドレール２ａ及び下ガイドレール３ａの位置に対応した切り欠き溝１１を備えた上ガイド梁５、及び下ガイド梁６が取り付けられている。上ガイド梁５の設置位置は、図３（ａ）に示すように、下ガイド梁６よりも前方に突き出している。上ガイド梁５及び下ガイド梁６は、プリント基板９挿入時の位置決めに利用されると共に、収納されたプリント基板９を把持する機能がある。
【００１３】
図１（ｂ）に示すように、上ガイド梁５はピン７と弾性体８（弾性部）により上板２に取り付けられている。上ガイド梁５は、上板２から離れる方向、すなわち上側に押し上げることが可能であり、押し上げた状態では、弾性体８の効果によって、上ガイド梁５を下へ戻そうとする力が発生する。なお、ここでは弾性体８は例えばコイルバネ等である。ピン７の下端は上板２に固定されており、ピン７は上ガイド梁５及びコイルバネを貫通している。ピン７の上部には、他よりも断面積が広い頭部が形成されており、頭部と上ガイド梁５の間でコイルバネが圧縮されている。
【００１４】
電子機器筐体１００に収納されるプリント基板９にはプリント基板コネクタ９ａが取付けられており、プリント基板９を電子機器筐体１００に収納することでプリント基板コネクタ９ａとコネクタ１０ａが嵌合し、両者の配線が電気的に接続するようになっている。
【００１５】
次に、電子機器筐体１００へのプリント基板９の収納動作について説明する。図４及び図５（ａ）は、電子機器筐体１００へのプリント基板の収納を説明するための図である。また、図５（ｂ）は、図５（ａ）におけるＤ部の拡大図である。
【００１６】
プリント基板９を電子機器筐体１００に収納する場合、図４に示すようにまずプリント基板９の上端を上ガイド梁５の切り欠き溝１１に嵌合させる。次に、図５（ａ）に示すように、下ガイド梁６の切り欠き溝１１にプリント基板９の下端をプリント基板９の自重により嵌合させる。
【００１７】
図５（ａ）に示すようにプリント基板９を上下の切り欠き溝１１に嵌合させた状態では、図５（ｂ）に示すように、弾性体８の力に抗して上ガイド梁５がプリント基板９によって押し上げられる。この時、弾性体８により上ガイド梁５に下向きの力が加わり、上ガイド梁５は、プリント基板９を上方から適度に押さえ付ける。
【００１８】
電子機器筐体１００を上位の装置に据え付ける際や調整作業を行う時には、いくつかのプリント基板９については、プリント基板コネクタ９ａとコネクタ１０ａを接続せず、上ガイドレール２ａ及び下ガイドレール３ａのみで支持する状態が発生する。電子機器筐体１００に複数のプリント基板９を収納している状態では、プリント基板９の自重による撓みや上板２と下板３の間隔寸法不良等により、プリント基板９の上側縁部が上ガイドレール２ａから外れやすい状態になっている可能性がある。
【００１９】
しかし、上述したように上ガイド梁５は、弾性体８の効果によりプリント基板９を上方から適度に押さえ付けるので、プリント基板９の上側縁部が上ガイドレール２ａから外れることを防止できる。
【００２０】
また、図４及び図５（ａ）に示すように、上ガイド梁５の設置位置は下ガイド梁６の設置位置よりも前方にあるため、プリント基板９を上下のガイド梁に同時に嵌合させる必要がなく、実装作業が行いやすい。
【００２１】
プリント基板９を上下のガイド梁の切り欠き溝１１に嵌合させたら、この状態のまま上ガイドレール２ａと下ガイドレール３ａに沿ってプリント基板９をスライドさせる。プリント基板９を完全に押し込むことで、プリント基板コネクタ９ａがコネクタ１０ａに嵌合し、収納は完了する。
【００２２】
なお、プリント基板９の前後方向の長さは、コネクタ１０ａから上ガイド梁５の切り欠き溝１１までの距離よりも小さいため、プリント基板コネクタ９ａがコネクタ１０ａに嵌合した状態では、図３（ｂ）に示すようにプリント基板９の上側前端は、上ガイド梁５の切欠き溝１１に掛からないようになっている。このため、１枚以上のプリント基板９がプリント基板コネクタ９ａとコネクタ１０ａが嵌合した状態で収納されている場合でも、コネクタ嵌合していないプリント基板９については上ガイド梁５が上方から押さえつけることができる。
【００２３】
以上のように、この実施の形態１によれば、プリント基板９の下側縁部は、プリント基板９自身の重さにより下ガイド梁６および下ガイドレール３ａと嵌合し、上側縁部は、上ガイド梁５と弾性体８によりプリント基板９を押え付けることによりプリント基板９の上ガイドレール２ａからの脱落を防止することができる。
【００２４】
また、上ガイド梁５を下ガイド梁６よりも前方に設置し、プリント基板コネクタ９ａがコネクタ１０ａに嵌合した状態では、プリント基板９の上側前端が、上ガイド梁５の切欠き溝１１に掛からないようにしたので、１枚以上のプリント基板９がプリント基板コネクタ９ａとコネクタ１０ａが嵌合した状態で収納されている場合でも、コネクタ嵌合していないプリント基板９を上方から押さえつけることができる。また、プリント基板９を実装する際に上ガイド梁５及び下ガイド梁６に同時に嵌合させることなく挿入できるため、プリント基板９を実装する作業を容易にすることができる。
【００２５】
また、上ガイド梁５及び下ガイド梁６は、ガイドレールの形状には関係なく構成可能であるため、例えば、ガイドレールは板金の一体抜起しにより成形し、ガイド梁は別部品としてもよい。これにより、電子機器筐体の製造に既存の方法を利用することができる。また、ガイドレールに細工することなく形成できるため、部品点数を減らすことができ、低コストで実施できるという効果がある。
【００２６】
なお、実施の形態１では、上ガイド梁５をピン７と弾性体８で上板２に取り付け、弾性体８の力に抗して上ガイド梁５がプリント基板９を押し下げるようにしたが、下ガイド梁６をピン７と弾性体８で下板３に取り付け、下ガイド梁６がプリント基板９を押し上げるようにしてもよい。
また、ピン７及び弾性体８でガイド梁を上下動可能に取り付けた方とは反対側の面については、ガイド梁を設けずガイドレールのみを設けるようにしてもよい。
【００２７】
【発明の効果】
以上のように、この発明によれば、簡易な構成でプリント基板の脱落を防止し、プリント基板の損傷を防ぐ電子機器筐体を得られるという効果がある。
【図面の簡単な説明】
【図１】（ａ）は、この発明の実施の形態１による電子機器筐体の斜視図、（ｂ）は、図１（ａ）におけるＢ部の拡大図である。
【図２】この発明の実施の形態１による、電子機器筐体を前面から見た正面図である。
【図３】（ａ）は、この発明の実施の形態１による電子機器筐体の図２におけるＡ−Ａ断面の断面図、（ｂ）は、図３（ａ）におけるＣ部の拡大図である。
【図４】この発明の実施の形態１による、電子機器筐体へのプリント基板の収納を説明するための図である。
【図５】（ａ）は、この発明の実施の形態１による、電子機器筐体へのプリント基板の収納を説明するための図、（ｂ）は、図５（ａ）におけるＤ部の拡大図である。
【符号の説明】
２  上板、２ａ  上ガイドレール、３  下板、３ａ  下ガイドレール、４  側板、４ａ  フランジ部、５  上ガイド梁、６  下ガイド梁、７  ピン、８  弾性体、９  プリント基板、９ａ  プリント基板コネクタ、１０  バックボード、１０ａ  コネクタ、１１  切り欠き溝、１００  電子機器筐体。
【図１】
2005005324.tif 000003
【図２】
2005005324.tif 000004
【図３】
2005005324.tif 000005
【図４】
2005005324.tif 000006
【図５】
2005005324.tif 000007